(57)【要約】【課題】  コンピュータネットワークを介して携帯電話の画面上に適切な画像を表示させる画像情報処理システムを提供する。【解決手段】  本発明は、画像表示端末が、コンピュータネットワークを介して第２のコンピュータにアクセスした際に、第２のウェブサーバ手段が前記画像表示端末の画面情報を判断し、認証情報と画面情報とを関連付けた特定端末情報を前記コンピュータネットワークを介して第１のコンピュータに送信し、前記画像表示端末が前記コンピュータネットワークを介して前記第１のコンピュータにアクセスした際に、ファイルサーバ手段に格納された情報を前記第１のコンピュータにより前記画面情報に対応するように情報処理された画面表示として前記画像表示端末に提供することを特徴とする。【選択図】          図１
2006178639.tif 000002
【特許請求の範囲】
【請求項１】
コンピュータネットワークに接続された少なくとも１つの画像表示端末が前記コンピュータネットワークを介してアクセスすることができる少なくとも１つの第１のコンピュータと、
前記コンピュータネットワークに接続された前記少なくとも１つの画像表示端末が前記コンピュータネットワークを介してアクセスすることができ、前記第１のコンピュータに関する情報を備え、前記第１のコンピュータと通信可能な第２のコンピュータと、
を有する画像情報処理システムであって、
前記第１のコンピュータが、
第１の認証手段と、
ファイルサーバ手段と、
第１のウェブサーバ手段と、
を備え、
前記第２のコンピュータが、
第２の認証手段と、
第２のウェブサーバ手段と、
を備え、
ウェブ閲覧手段を備えた前記画像表示端末が、前記コンピュータネットワークを介して前記第２のコンピュータにアクセスした際に、前記第２のコンピュータで、前記第２の認証手段が前記画像表示端末を認証し、前記第２のウェブサーバ手段が前記認証した画像表示端末の画面情報を判断し、
前記第２のコンピュータが、認証情報と画面情報とを関連付けた特定端末情報を前記コンピュータネットワークを介して前記第１のコンピュータに送信し、
前記画像表示端末が前記コンピュータネットワークを介して前記第１のコンピュータにアクセスした際に、前記第１の認証手段が特定端末情報に含まれた認証情報に基づいて前記画像表示端末を認証し、前記ファイルサーバ手段に格納された情報を前記第１のコンピュータにより前記画面情報に対応するように情報処理された画面表示として前記画像表示端末に提供する、
ことを特徴とする画像情報処理システム。
【請求項２】
ウェブ閲覧手段を備えた前記画像表示端末が前記コンピュータネットワークを介して前記第２のコンピュータにアクセスした際に、前記第２の認証手段が、前記第１のコンピュータに問い合わせることにより前記画像表示端末を認証し、前記第２のウェブサーバ手段が前記認証した画像表示端末の画面情報を判断した後、前記画像表示端末が所定の第１のコンピュータにアクセスすることができるようにアクセス情報を前記コンピュータネットワークを介して前記画像表示端末に提供し、
前記画像表示端末が前記コンピュータネットワークを介して提供された前記アクセス情報により前記第１のコンピュータにアクセスする、
ことを特徴とする請求項１に記載の画像情報処理システム。
【請求項３】
前記第１のコンピュータが、更に更新情報提供手段を備え、
前記第１のコンピュータに関する情報が、少なくとも前記第１のコンピュータのＩＰアドレス情報を含み、
前記第２のコンピュータが、更に第２の電子メール送受信手段を備え、
前記第１のコンピュータからの要求に応じて、前記第２の電子メール送受信手段が、ウェブ閲覧手段と第１の電子メール送受信手段とを備えた画像表示端末に対して前記第２のコンピュータのアドレス情報を電子メール形式で送信し、
前記画像表示端末が、前記アドレス情報に基づいて前記第２のコンピュータにアクセスした際に、前記第２のコンピュータで、前記第２の認証手段が前記画像表示端末を認証し、前記第２のウェブサーバ手段が前記認証した画像表示端末の画面情報を取得し、
前記第１のコンピュータのＩＰアドレス情報が変更された場合、前記更新情報提供手段により、前記第１のコンピュータが前記第２のコンピュータに前記第１のコンピュータに関する情報を送信する、
ことを特徴とする請求項１又は２に記載の画像情報処理システム。
【請求項４】
前記画像表示端末が、ウェブ閲覧手段を備えた携帯電話端末を含み、
前記画面情報が、少なくとも画面サイズ情報、画面色数情報、表示フォーマット情報を含み、
前記携帯電話端末が、前記コンピュータネットワークを介して前記第２のコンピュータにアクセスした際に、前記第２のウェブサーバ手段が環境変数情報を取得し、
前記取得した環境変数から、画面サイズ情報と、画面色数情報と、表示フォーマット情報とを判断する、
ことを特徴とする請求項１乃至３のいずれか１項に記載の画像情報処理システム。
【請求項５】
前記画像表示端末が、ウェブ閲覧手段を備えた携帯電話端末を含み、
前記第２のコンピュータが、更に画像表示端末の画面情報データベースを備え、
前記画面情報が、少なくとも画面サイズ情報、画面色数情報、表示フォーマット情報を含み、
前記携帯電話端末が、前記コンピュータネットワークを介して前記第２のコンピュータにアクセスした際に、前記第２のウェブサーバ手段が環境変数情報を取得し、
前記取得した環境変数から、画像表示端末の機種及び表示フォーマット情報を判断し、
前記画面情報データベースを参照することにより画面サイズ情報と、画面色数情報とを判断する、
ことを特徴とする請求項１乃至３のいずれか１項に記載の画像情報処理システム。
【請求項６】
前記ファイルサーバ手段に格納された情報がデジタル画像情報を含み、
前記画面情報を受信した第１のコンピュータが、前記画像表示端末の閲覧要求に応じて前記画像表示端末に相当する画面情報に基づいて前記デジタル画像情報を処理し、
前記加工したデジタル画像情報を前記第１のウェブサーバ手段により前記画像表示端末に提供する、
ことを特徴とする請求項４又は５に記載の画像情報処理システム。
【請求項７】
コンピュータネットワークに接続された少なくとも１つの画像表示端末が前記コンピュータネットワークを介してアクセスすることができる少なくとも１つの第１のコンピュータと、
前記コンピュータネットワークに接続された前記少なくとも１つの画像表示端末が前記コンピュータネットワークを介してアクセスすることができ、前記第１のコンピュータに関する情報を備え、前記第１のコンピュータと通信可能な第２のコンピュータと、
を有する画像情報処理システムにおける画像情報処理方法であって、
前記第１のコンピュータが、第１の認証手段と、ファイルサーバ手段と、第１のウェブサーバ手段とを備え、
前記第２のコンピュータが、第２の認証手段と、第２のウェブサーバ手段とを備え、
ウェブ閲覧手段を備えた前記画像表示端末が、前記コンピュータネットワークを介して前記第２のコンピュータにアクセスした際に、前記第２のコンピュータで、前記第２の認証手段が前記画像表示端末を認証し、前記第２のウェブサーバ手段が前記認証した画像表示端末の画面情報を判断し、
前記第２のコンピュータが、認証情報と画面情報とを関連付けた特定端末情報を前記コンピュータネットワークを介して前記第１のコンピュータに送信し、
前記画像表示端末が前記コンピュータネットワークを介して前記第１のコンピュータにアクセスした際に、前記第１の認証手段が特定端末情報に含まれた認証情報に基づいて前記画像表示端末を認証し、前記ファイルサーバ手段に格納された情報を前記第１のコンピュータにより前記画面情報に対応するように情報処理された画面表示として前記画像表示端末に提供する、
ステップを有することを特徴とする画像情報処理方法。
【請求項８】
ウェブ閲覧手段を備えた前記画像表示端末が前記コンピュータネットワークを介して前記第２のコンピュータにアクセスした際に、前記第２の認証手段が、前記第１のコンピュータに問い合わせることにより前記画像表示端末を認証し、前記第２のウェブサーバ手段が前記認証した画像表示端末の画面情報を判断した後、前記画像表示端末が所定の第１のコンピュータにアクセスすることができるようにアクセス情報を前記コンピュータネットワークを介して前記画像表示端末に提供し、
前記画像表示端末が前記コンピュータネットワークを介して提供された前記アクセス情報により前記第１のコンピュータにアクセスする、
ステップを有することを特徴とする請求項７に記載の画像情報処理システム。
【請求項９】
前記第１のコンピュータが、更に更新情報提供手段を備え、
前記第１のコンピュータに関する情報が、少なくとも前記第１のコンピュータのＩＰアドレス情報を含み、
前記第２のコンピュータが、更に第２の電子メール送受信手段を備え、
前記第１のコンピュータからの要求に応じて、前記第２の電子メール送受信手段が、ウェブ閲覧手段と第１の電子メール送受信手段とを備えた画像表示端末に対して前記第２のコンピュータのアドレス情報を電子メール形式で送信し、
前記画像表示端末が、前記アドレス情報に基づいて前記第２のコンピュータにアクセスした際に、前記第２のコンピュータで、前記第２の認証手段が前記画像表示端末を認証し、前記第２のウェブサーバ手段が前記認証した画像表示端末の画面情報を取得し、
前記第１のコンピュータのＩＰアドレス情報が変更された場合、前記更新情報提供手段により、前記第１のコンピュータが前記第２のコンピュータに前記第１のコンピュータに関する情報を送信する、
ステップを有することを特徴とする請求項７又は８に記載の画像情報処理方法。
【請求項１０】
前記画像表示端末が、ウェブ閲覧手段を備えた携帯電話端末を含み、
前記画面情報が、少なくとも画面サイズ情報、画面色数情報、表示フォーマット情報を含み、
前記携帯電話端末が、前記コンピュータネットワークを介して前記第２のコンピュータにアクセスした際に、前記第２のウェブサーバ手段が環境変数情報を取得し、
前記取得した環境変数から、画面サイズ情報と、画面色数情報と、表示フォーマット情報とを判断する、
ステップを有することを特徴とする請求項７乃至９のいずれか１項に記載の画像情報処理方法。
【請求項１１】
前記画像表示端末が、ウェブ閲覧手段を備えた携帯電話端末を含み、
前記第２のコンピュータが、更に画像表示端末の画面情報データベースを備え、
前記画面情報が、少なくとも画面サイズ情報、画面色数情報、表示フォーマット情報を含み、
前記携帯電話端末が、前記コンピュータネットワークを介して前記第２のコンピュータにアクセスした際に、前記第２のウェブサーバ手段が環境変数情報を取得し、
前記取得した環境変数から、画像表示端末の機種及び表示フォーマット情報を判断し、
前記画面情報データベースを参照することにより画面サイズ情報と、画面色数情報とを判断する、
ステップを有することを特徴とする請求項７乃至９のいずれか１項に記載の画像情報処理方法。
【請求項１２】
前記ファイルサーバ手段に格納された情報がデジタル画像情報を含み、
前記画面情報を受信した第１のコンピュータが、前記画像表示端末の閲覧要求に応じて前記画像表示端末に相当する画面情報に基づいて前記デジタル画像情報を処理し、
前記加工したデジタル画像情報を前記第１のウェブサーバ手段により前記画像表示端末に提供する、
ステップを有することを特徴とする請求項１０又は１１に記載の画像情報処理方法。
【請求項１３】
コンピュータネットワークに接続された少なくとも１つの画像表示端末が前記コンピュータネットワークを介してアクセスすることができる少なくとも１つの第１のコンピュータと、
前記コンピュータネットワークに接続された前記少なくとも１つの画像表示端末が前記コンピュータネットワークを介してアクセスすることができ、前記第１のコンピュータに関する情報を備え、前記第１のコンピュータと通信可能な第２のコンピュータとを有し、
前記第１のコンピュータが、第１の認証手段と、ファイルサーバ手段と、第１のウェブサーバ手段とを備え、
前記第２のコンピュータが、第２の認証手段と、第２のウェブサーバ手段とを備えた画像情報処理システムで稼働する画像情報処理プログラムであって、
ウェブ閲覧手段を備えた前記画像表示端末が、前記コンピュータネットワークを介して前記第２のコンピュータにアクセスした際に、前記第２のコンピュータで、前記第２の認証手段が前記画像表示端末を認証し、前記第２のウェブサーバ手段が前記認証した画像表示端末の画面情報を判断し、
前記画像表示端末が前記コンピュータネットワークを介して前記第１のコンピュータにアクセスした際に、前記第１の認証手段が特定端末情報に含まれた認証情報に基づいて前記画像表示端末を認証し、前記ファイルサーバ手段に格納された情報を前記第１のコンピュータにより前記画面情報に対応するように情報処理された画面表示として前記画像表示端末に提供することができるように、前記第２のコンピュータが、認証情報と画面情報とを関連付けた特定端末情報を前記コンピュータネットワークを介して前記第１のコンピュータに送信する、
ステップを有することを特徴とする画像情報処理プログラム。
【請求項１４】
コンピュータネットワークに接続された少なくとも１つの画像表示端末が前記コンピュータネットワークを介してアクセスすることができる少なくとも１つの第１のコンピュータと、
前記コンピュータネットワークに接続された前記少なくとも１つの画像表示端末が前記コンピュータネットワークを介してアクセスすることができ、前記第１のコンピュータに関する情報を備え、前記第１のコンピュータと通信可能な第２のコンピュータとを有し、
前記第１のコンピュータが、第１の認証手段と、ファイルサーバ手段と、第１のウェブサーバ手段とを備え、
前記第２のコンピュータが、第２の認証手段と、第２のウェブサーバ手段とを備えた画像情報処理システムで稼働する画像情報処理プログラムであって、
ウェブ閲覧手段を備えた前記画像表示端末が、前記コンピュータネットワークを介して前記第２のコンピュータにアクセスした際に、前記第２のコンピュータで、前記第２の認証手段によって前記画像表示端末が認証され、前記認証された画像表示端末の画面情報を前記第２のウェブサーバ手段により判断された画像表示端末が、前記コンピュータネットワークを介して前記第１のコンピュータにアクセスした際に、前記第１の認証手段が特定端末情報に含まれた認証情報に基づいて前記画像表示端末を認証し、前記ファイルサーバ手段に格納された情報を前記第１のコンピュータにより前記画面情報に対応するように情報処理された画面表示として前記画像表示端末に提供する、
ステップを有することを特徴とする画像情報処理プログラム。
【発明の詳細な説明】
【技術分野】
【０００１】
本発明は、コンピュータネットワークを介した画像情報処理システムに関し、特にコンピュータネットワークを介して携帯電話の画面上に適切な画像を表示させる画像情報処理システムに関する。
【背景技術】
【０００２】
従来、フィルムカメラ、またはデジタルカメラで撮影した写真などを写真店などを利用してプリントをする際には、 撮影したフィルムまたは、データを格納したメディア（フラッシュメモリ等） を一度 、写真店に預け、その後現像処理済みのフィルム、または、CD等を受け取り、そこから再注文を行っていた。また、ＣＤ−ＲＯＭ等に格納されたデータを閲覧するにはＣＤ−ＲＯＭドライブを搭載したコンピュータを利用し、インターネットを利用して画像情報を送る、または、写真店で注文をするなど利用過程に様々な不便が存在していた。
【０００３】
本発明は、上記不便を解消すべく、携帯電話ユーザ等、ユーザが利用する画面に最適化された写真情報をネットワーク経由で表示させ、所望の写真の注文をすることができるシステム及び方法を提供する。
【０００４】
【特許文献１】特開２００３−２７４１０３号公報
【特許文献２】特開２００３−３１９３６５号公報
【発明の開示】
【課題を解決するための手段】
【０００５】
本件発明は、コンピュータネットワークに接続された少なくとも１つの画像表示端末が前記コンピュータネットワークを介してアクセスすることができる少なくとも１つの第１のコンピュータと、前記コンピュータネットワークに接続された前記少なくとも１つの画像表示端末が前記コンピュータネットワークを介してアクセスすることができ、前記第１のコンピュータに関する情報を備え、前記第１のコンピュータと通信可能な第２のコンピュータとを有する画像情報処理システムであって、前記第１のコンピュータが、第１の認証手段と、ファイルサーバ手段と、第１のウェブサーバ手段と、を備え、前記第２のコンピュータが、第２の認証手段と、第２のウェブサーバ手段とを備え、ウェブ閲覧手段を備えた前記画像表示端末が、前記コンピュータネットワークを介して前記第２のコンピュータにアクセスした際に、前記第２のコンピュータで、前記第２の認証手段が前記画像表示端末を認証し、前記第２のウェブサーバ手段が前記認証した画像表示端末の画面情報を判断し、前記第２のコンピュータが、認証情報と画面情報とを関連付けた特定端末情報を前記コンピュータネットワークを介して前記第１のコンピュータに送信し、前記画像表示端末が前記コンピュータネットワークを介して前記第１のコンピュータにアクセスした際に、前記第１の認証手段が特定端末情報に含まれた認証情報に基づいて前記画像表示端末を認証し、前記ファイルサーバ手段に格納された情報を前記第１のコンピュータにより前記画面情報に対応するように情報処理された画面表示として前記画像表示端末に提供する、ことを特徴とする。
【０００６】
更なる特徴として、上記画像情報処理システムは、ウェブ閲覧手段を備えた前記画像表示端末が前記コンピュータネットワークを介して前記第２のコンピュータにアクセスした際に、前記第２の認証手段が、前記第１のコンピュータに問い合わせることにより前記画像表示端末を認証し、前記第２のウェブサーバ手段が前記認証した画像表示端末の画面情報を判断した後、前記画像表示端末が所定の第１のコンピュータにアクセスすることができるようにアクセス情報を前記コンピュータネットワークを介して前記画像表示端末に提供し、前記画像表示端末が前記コンピュータネットワークを介して提供された前記アクセス情報により前記第１のコンピュータにアクセスする。
【０００７】
更に別の特徴としては、前記第１のコンピュータが、更に更新情報提供手段を備え、前記第１のコンピュータに関する情報が、少なくとも前記第１のコンピュータのＩＰアドレス情報を含み、前記第２のコンピュータが、更に第２の電子メール送受信手段を備え、前記第１のコンピュータからの要求に応じて、前記第２の電子メール送受信手段が、ウェブ閲覧手段と第１の電子メール送受信手段とを備えた画像表示端末に対して前記第２のコンピュータのアドレス情報を電子メール形式で送信し、前記画像表示端末が、前記アドレス情報に基づいて前記第２のコンピュータにアクセスした際に、前記第２のコンピュータで、前記第２の認証手段が前記画像表示端末を認証し、前記第２のウェブサーバ手段が前記認証した画像表示端末の画面情報を取得し、前記第１のコンピュータのＩＰアドレス情報が変更された場合、前記更新情報提供手段により、前記第１のコンピュータが前記第２のコンピュータに前記第１のコンピュータに関する情報を送信する、ことを特徴とする。
【０００８】
また、前記画像表示端末が、ウェブ閲覧手段を備えた携帯電話端末を含み、前記画面情報が、少なくとも画面サイズ情報、画面色数情報、表示フォーマット情報を含み、前記携帯電話端末が、前記コンピュータネットワークを介して前記第２のコンピュータにアクセスした際に、前記第２のウェブサーバ手段が環境変数情報を取得し、前記取得した環境変数から、画面サイズ情報と、画面色数情報と、表示フォーマット情報とを判断することを特徴とする。
【０００９】
更に、前記画像表示端末が、ウェブ閲覧手段を備えた携帯電話端末を含み、前記第２のコンピュータが、更に画像表示端末の画面情報データベースを備え、前記画面情報が、少なくとも画面サイズ情報、画面色数情報、表示フォーマット情報を含み、前記携帯電話端末が、前記コンピュータネットワークを介して前記第２のコンピュータにアクセスした際に、前記第２のウェブサーバ手段が環境変数情報を取得し、前記取得した環境変数から、画像表示端末の機種及び表示フォーマット情報を判断し、前記画面情報データベースを参照することにより画面サイズ情報と、画面色数情報とを判断する、ことを特徴とする。
【００１０】
更に別の特徴として、本件発明の画像情報処理システムは、前記ファイルサーバ手段に格納された情報がデジタル画像情報を含み、前記画面情報を受信した第１のコンピュータが、前記画像表示端末の閲覧要求に応じて前記画像表示端末に相当する画面情報に基づいて前記デジタル画像情報を処理し、前記加工したデジタル画像情報を前記第１のウェブサーバ手段により前記画像表示端末に提供する。
【００１１】
本件発明の別の態様として、コンピュータネットワークに接続された少なくとも１つの画像表示端末が前記コンピュータネットワークを介してアクセスすることができる少なくとも１つの第１のコンピュータと、前記コンピュータネットワークに接続された前記少なくとも１つの画像表示端末が前記コンピュータネットワークを介してアクセスすることができ、前記第１のコンピュータに関する情報を備え、前記第１のコンピュータと通信可能な第２のコンピュータと、を有する画像情報処理システムにおける画像情報処理方法は、前記第１のコンピュータが、第１の認証手段と、ファイルサーバ手段と、第１のウェブサーバ手段とを備え、前記第２のコンピュータが、第２の認証手段と、第２のウェブサーバ手段とを備え、ウェブ閲覧手段を備えた前記画像表示端末が、前記コンピュータネットワークを介して前記第２のコンピュータにアクセスした際に、前記第２のコンピュータで、前記第２の認証手段が前記画像表示端末を認証し、前記第２のウェブサーバ手段が前記認証した画像表示端末の画面情報を判断し、前記第２のコンピュータが、認証情報と画面情報とを関連付けた特定端末情報を前記コンピュータネットワークを介して前記第１のコンピュータに送信し、前記画像表示端末が前記コンピュータネットワークを介して前記第１のコンピュータにアクセスした際に、前記第１の認証手段が特定端末情報に含まれた認証情報に基づいて前記画像表示端末を認証し、前記ファイルサーバ手段に格納された情報を前記第１のコンピュータにより前記画面情報に対応するように情報処理された画面表示として前記画像表示端末に提供する、ステップを有することを特徴とする。
【００１２】
更なる態様として、ウェブ閲覧手段を備えた前記画像表示端末が前記コンピュータネットワークを介して前記第２のコンピュータにアクセスした際に、前記第２の認証手段が、前記第１のコンピュータに問い合わせることにより前記画像表示端末を認証し、前記第２のウェブサーバ手段が前記認証した画像表示端末の画面情報を判断した後、前記画像表示端末が所定の第１のコンピュータにアクセスすることができるようにアクセス情報を前記コンピュータネットワークを介して前記画像表示端末に提供し、前記画像表示端末が前記コンピュータネットワークを介して提供された前記アクセス情報により前記第１のコンピュータにアクセスする、ステップを有することを特徴とする。
【００１３】
別の態様では、前記第１のコンピュータが、更に更新情報提供手段を備え、前記第１のコンピュータに関する情報が、少なくとも前記第１のコンピュータのＩＰアドレス情報を含み、前記第２のコンピュータが、更に第２の電子メール送受信手段を備え、前記第１のコンピュータからの要求に応じて、前記第２の電子メール送受信手段が、ウェブ閲覧手段と第１の電子メール送受信手段とを備えた画像表示端末に対して前記第２のコンピュータのアドレス情報を電子メール形式で送信し、前記画像表示端末が、前記アドレス情報に基づいて前記第２のコンピュータにアクセスした際に、前記第２のコンピュータで、前記第２の認証手段が前記画像表示端末を認証し、前記第２のウェブサーバ手段が前記認証した画像表示端末の画面情報を取得し、前記第１のコンピュータのＩＰアドレス情報が変更された場合、前記更新情報提供手段により、前記第１のコンピュータが前記第２のコンピュータに前記第１のコンピュータに関する情報を送信する、ステップを有することを特徴とする。
【００１４】
更に別の態様では、前記画像表示端末が、ウェブ閲覧手段を備えた携帯電話端末を含み、前記画面情報が、少なくとも画面サイズ情報、画面色数情報、表示フォーマット情報を含み、前記携帯電話端末が、前記コンピュータネットワークを介して前記第２のコンピュータにアクセスした際に、前記第２のウェブサーバ手段が環境変数情報を取得し、前記取得した環境変数から、画面サイズ情報と、画面色数情報と、表示フォーマット情報とを判断する、ステップを有することを特徴とする。
【００１５】
本発明の更に別の特徴によれば、前記画像表示端末が、ウェブ閲覧手段を備えた携帯電話端末を含み、前記第２のコンピュータが、更に画像表示端末の画面情報データベースを備え、前記画面情報が、少なくとも画面サイズ情報、画面色数情報、表示フォーマット情報を含み、前記携帯電話端末が、前記コンピュータネットワークを介して前記第２のコンピュータにアクセスした際に、前記第２のウェブサーバ手段が環境変数情報を取得し、前記取得した環境変数から、画像表示端末の機種及び表示フォーマット情報を判断し、前記画面情報データベースを参照することにより画面サイズ情報と、画面色数情報とを判断する、ステップを有することを特徴とする。
【００１６】
また、前記ファイルサーバ手段に格納された情報がデジタル画像情報を含み、前記画面情報を受信した第１のコンピュータが、前記画像表示端末の閲覧要求に応じて前記画像表示端末に相当する画面情報に基づいて前記デジタル画像情報を処理し、前記加工したデジタル画像情報を前記第１のウェブサーバ手段により前記画像表示端末に提供する、ステップを有することを特徴とする。
【００１７】
更に別の本件発明の態様によれば、本発明による画像情報処理プログラムは、コンピュータネットワークに接続された少なくとも１つの画像表示端末が前記コンピュータネットワークを介してアクセスすることができる少なくとも１つの第１のコンピュータと、前記コンピュータネットワークに接続された前記少なくとも１つの画像表示端末が前記コンピュータネットワークを介してアクセスすることができ、前記第１のコンピュータに関する情報を備え、前記第１のコンピュータと通信可能な第２のコンピュータとを有し、前記第１のコンピュータが、第１の認証手段と、ファイルサーバ手段と、第１のウェブサーバ手段とを備え、前記第２のコンピュータが、第２の認証手段と、第２のウェブサーバ手段とを備えた画像情報処理システムで稼働する画像情報処理プログラムであって、ウェブ閲覧手段を備えた前記画像表示端末が、前記コンピュータネットワークを介して前記第２のコンピュータにアクセスした際に、前記第２のコンピュータで、前記第２の認証手段が前記画像表示端末を認証し、前記第２のウェブサーバ手段が前記認証した画像表示端末の画面情報を判断し、前記画像表示端末が前記コンピュータネットワークを介して前記第１のコンピュータにアクセスした際に、前記第１の認証手段が特定端末情報に含まれた認証情報に基づいて前記画像表示端末を認証し、前記ファイルサーバ手段に格納された情報を前記第１のコンピュータにより前記画面情報に対応するように情報処理された画面表示として前記画像表示端末に提供することができるように、前記第２のコンピュータが、認証情報と画面情報とを関連付けた特定端末情報を前記コンピュータネットワークを介して前記第１のコンピュータに送信する、ステップを有することを特徴とする。
【００１８】
更に別の特徴として、コンピュータネットワークに接続された少なくとも１つの画像表示端末が前記コンピュータネットワークを介してアクセスすることができる少なくとも１つの第１のコンピュータと、前記コンピュータネットワークに接続された前記少なくとも１つの画像表示端末が前記コンピュータネットワークを介してアクセスすることができ、前記第１のコンピュータに関する情報を備え、前記第１のコンピュータと通信可能な第２のコンピュータとを有し、前記第１のコンピュータが、第１の認証手段と、ファイルサーバ手段と、第１のウェブサーバ手段とを備え、前記第２のコンピュータが、第２の認証手段と、第２のウェブサーバ手段とを備えた画像情報処理システムで稼働する画像情報処理プログラムであって、ウェブ閲覧手段を備えた前記画像表示端末が、前記コンピュータネットワークを介して前記第２のコンピュータにアクセスした際に、前記第２のコンピュータで、前記第２の認証手段によって前記画像表示端末が認証され、前記認証された画像表示端末の画面情報を前記第２のウェブサーバ手段により判断された画像表示端末が、前記コンピュータネットワークを介して前記第１のコンピュータにアクセスした際に、前記第１の認証手段が特定端末情報に含まれた認証情報に基づいて前記画像表示端末を認証し、前記ファイルサーバ手段に格納された情報を前記第１のコンピュータにより前記画面情報に対応するように情報処理された画面表示として前記画像表示端末に提供する、ステップを有することを特徴とする。
【発明を実施するための最良の形態】
【００１９】
本発明の好ましい実施形態で利用することができるシステムの一例を図１に示す。写真店などの店頭にハードディスクを内蔵した店頭サーバＳ１を設置する。ユーザ１１は、デジタルカメラで撮影した写真などのイメージ情報を格納したメディアを持ち込むことができ、写真店の店頭のメディアリーダ１６を介して店頭サーバのハードディスク１７にイメージ情報を格納する。かかる操作はフラッシュメモリから直接ハードディスクにコピーする作業のため非常に短時間で処理することができる。
【００２０】
ハードディスク１７Ａにコピーされたデータは、ハードディスク１７Ｂにミラーリングされリダンダントに冗長化されるのが好ましい。好ましい実施形態では、ユーザが持ち込んだメディアに格納されたデジタルカメラ撮影写真のインデックスプリントなどをプリンタ１８を介して出力することができる。別の実施形態では、従来同様にメディアに格納されたイメージデータをＣＤ−ＲＯＭに書き込むことができる。また、同様にフィルムを現像処理した後、スキャナーで画像を取り込み、その取り込んだイメージデータをサーバＳ１に格納することもできる。
【００２１】
店頭サーバＳ１のハードディスク１７に格納されたイメージ情報は、インターネットなどのコンピュータネットワークを介してメインサーバＭ１にアップロードされる。かかるメインサーバＭ１は後述する所定のwebサーバ手段、メールサーバ手段を稼働することができ、所定の携帯電話環境変数テーブルを有し、更に当該テーブルに基づいて表示フォーマット判定プログラムを稼働しうるものである。写真店の店頭サーバをインターネットを介してメインサーバＭ１に接続する際に、好ましい実施形態では、各写真店はインターネットサービスプロバイダ（ＩＳＰ）と接続契約を行う必要があるが、この際固定ＩＰ接続契約をする必要はない。各写真店の店頭サーバＳ１に組み込まれた所定のプログラムにより、定期的に店頭サーバＳ１のＩＰアドレスを調査し、ＩＳＰによりＩＰアドレスが変更された場合はその変更後のＩＰアドレスをメインサーバＭ１に通知することができる。
【００２２】
ユーザの持ち込んだメディアをハードディスクにコピー若しくはＣＤ−ＲＯＭに書き込み、顧客固有のＩＤ情報２３を生成させる。かかるＩＤ情報には顧客の電子メール情報などの顧客情報の他に写真店の店舗情報（店舗ＩＤ）を含むのが好ましい。好ましい実施形態では店頭のモニタ（図示せず）上に受付画面２１を表示させ、ユーザ若しくは店員が当該顧客の電子メールアドレスを入力する（２２）。次いで、店頭サーバＳ１からメインサーバＭ１に電子メール送信要求をし、送信先電子メールアドレス（２２）及びＩＤ情報を渡す（図３ステップ(1)）。かかるメール送信のためのメールサーバ（smtpサーバ手段）は、店頭サーバＳ１が有していても良いし、ＩＳＰが提供するメールサーバを利用しても良い。
【００２３】
次いで、メインサーバＭ１からユーザの携帯電話Ｋ１に電子メールを送信する。かかる電子メールを送信するためのｓｍｔｐサーバ手段はメインサーバＭ１で稼働するのが好ましい。当該電子メールには、例えばhttp://i-album.jp/ID=1035590545652のようなアクセス情報としてのＵＲＬ情報が含まれる（図３ステップ(2)）。ユーザはかかるＵＲＬにハイパーリンク機能を介して、所定のクリック操作などによりメインメニューに移動することができる。次いで、ユーザは携帯電話Ｋ１よりメインサーバＭ１の所定のユーザのためのサイトhttp://i-album.jp/ID=1035590545652にアクセスすることができる（図３ステップ(2)）。ユーザの携帯電話Ｋ１からのアクセスを受けて、メインサーバＭ１において、携帯電話Ｋ１の機種情報及び携帯端末画面情報を、環境変数及び／又はメインサーバＭ１内の所定のテーブル情報より判定する。メインサーバＭ１でＩＤ情報から写真店の店舗情報ＩＤを抽出し、当該写真店の店頭サーバＳ１のＩＰアドレスを所定のテーブル情報（若しくはＤＮＳ情報）にて照会する。
【００２４】
ユーザの携帯電話Ｋ１からのアクセスを受けて、メインサーバＭ１は、携帯電話の環境変数から携帯電話の機種、及び、写真表示フォーマットを含む画面情報を取得する（図４）。まずアクセスした携帯電話端末の環境変数HTTP_USER_AGENTを取得する（Ｓ４０１）。次いで機種を判別すべく（Ｓ４０２）、キャリアがVodafoneの場合は、環境変数HTTP_X_JPHONE_DISPLAYから携帯画面サイズを取得し（Ｓ４０３）、次いで環境変数HTTP_X_JPHONE_COLORから携帯画面色数を取得する（Ｓ４０６）。Vodafone及びNTTドコモ以外のキャリアの場合であってUP.Browserを備える場合は、環境変数HTTP_X_UP_DEVCAP_SCREENPIXELSから携帯画面サイズを取得し（Ｓ４０５）、次いで環境変数HTTP_X_UP_DEVCAP_SCREENDEPTHから携帯画面色数を取得する（Ｓ４０７）。キャリアがＮＴＴドコモの場合は、メインサーバＭ１が予め備えるテーブルから機種を特定し、携帯端末画面サイズ及び画面色数を取得する（Ｓ４０４）。
【００２５】
次いで、図５のフローチャートにより表示フォーマット判定を行う。まず表示フォーマット判定を開始し（Ｓ５０１）、アクセスした携帯電話端末の環境変数（HTTP_ACCEPT）を取得する（Ｓ５０２）。次いで、取得した情報にImage/jpegが含まれるかどうかを判定し（Ｓ５０３）、含まれる場合は画像情報がjpgファイルであると判断し（Ｓ５０４）、含まれない場合は、次いで取得した情報にImage/pngが含まれるかどうかを判定し（Ｓ５０５）、含まれる場合は画像情報がpngファイルであると判断し（Ｓ５０６）、含まれない場合は、次いで取得した情報にImage/gifが含まれるかどうかを判定し（Ｓ５０７）、含まれる場合は画像情報がgifファイルであると判断し（Ｓ５０８）、含まれない場合は、次いで取得した情報にImage/bmpが含まれるかどうかを判定し（Ｓ５０９）、含まれる場合は画像情報がbmpファイルであると判断し（Ｓ５１０）、含まれない場合は、画像情報がjpgファイルであると判断し（Ｓ５１１）、フォーマットを戻す（Ｓ５１２）。
【００２６】
再び図３に戻ると、当該写真店の店頭サーバＳ１に対してメインサーバＭ１から顧客のＩＤ情報と所定のパスワードの照会を問い合わせる（図３ステップ(4)）。上記顧客のＩＤ情報と所定のパスワードが写真店の店頭サーバＳ１のデータとして存在する場合、写真店の店頭サーバＳ１からのセッションＩＤを記憶し、携帯電話Ｋ１に所定の項目画面と携帯電話情報とを送信する（図３ステップ(5)）。ユーザの携帯電話Ｋ１から所定の項目を選択するとかかる選択項目と、携帯端末の画像情報が店頭サーバＳ１に送信される。後で詳述するように、携帯端末の画面情報により携帯電話に表示できる画像サイズ、色数などに合うように店頭サーバＳ１で元の画像をメモリ上に読み込み、加工し、ユーザの携帯電話Ｋ１に転送する。好ましい実施形態では、転送後、メモリ上の加工データはプログラム的には削除される（図３ステップ(6)）。
【００２７】
本発明の好ましい実施形態では、ユーザの携帯電話Ｋ１の画面において、毎画面写真４枚の小サイズで表示させることができる（図６）。好ましい実施形態では、かかるインデックス写真はメインサーバで取得した画像表示フォーマットによりＲＡＭ上で画面高さ１／４の画像に変換し、携帯電話端末Ｋ１に転送しかかる携帯電話端末Ｋ１の画面上に表示させることができる。更に別の実施形態では、ユーザがかかる画面において所望の写真を所望の手段によりクリックすることにより、当該クリックされた写真を表示画面全体に拡大表示させることができる。また前後の連続した写真情報へ移動することや、特定の写真番号を指定し、当該指定した写真の画面に直接ジャンプすることも可能である（図７）。
【００２８】
拡大写真画面において、ユーザが注文を選択すると、小サイズ表示画面に戻り、次の注文の指定ができる（図８乃至図９）。次いで、注文の終了（図示せず）を選択することにより注文確認画面（図示せず）に進む。好ましい実施形態では、注文確認画面では、いままで注文した写真を４枚１画面に表示させ、注文の枚数が写真の横に表示され、特定の写真をクリックすることによりかかる写真の注文枚数を修正することができる。注文を確認した後、注文確認ボタン（図示せず）をクリックすることにより、ユーザの電子メールに注文内容の詳細を送信することができる。店頭サーバＳ１は、かかる注文を受信し、モニタで確認することができるのが好ましい。
【００２９】
ユーザに送信されたメールに記載されたアクセス情報（ＵＲＬ）の店舗情報の一例を図１０に示す。ここでユーザは画像削除ボタン（図１０）をクリックすることにより、店頭サーバＳ１から当該ユーザの画像情報を削除することができる。
【００３０】
また別の好ましい実施形態では、店舗情報の画面に注文済みリストボタン（図示せず）を表示させ、ユーザが今までに注文した写真を４枚単位で１画面に表示させ、注文の枚数を各写真の横に表示させるようにすることができるのが好ましい。この画面では画像毎の注文数の修正ができないのが好ましい。
【００３１】
更に別の実施形態では、店舗情報画面のパスワード変更ボタン（図１０）をユーザが選択した場合、ユーザパスワードを任意に変更することができる。写真店で最初に設定した初期パスワードはnull（即ちパスワードなし）であり、ユーザがパスワードを変更すると、その後、店頭サーバS1へのアクセスはパスワード入力ウィンドウが表示され、正確なパスワードを入力し、承認されなければ上記の操作が不可能となるのが好ましい。
【図面の簡単な説明】
【００３２】
【図１】本発明の好ましい実施形態による画像情報処理システムのネットワーク構成図を示す。
【図２】写真店の店頭のモニタに表示される受付画面の一例である。
【図３】ネットワークを介した画像情報処理の全体的な流れを示す概念図である。
【図４】携帯電話の機種に依存した画面情報を取得するフローチャートを示す。
【図５】携帯電話の画面表示に関する表示フォーマットを判定するフローチャートを示す。
【図６】携帯電話端末における画像のインデックス表示の一例を示す。
【図７】携帯電話端末における画像の拡大表示の一例を示す。
【図８】携帯電話端末における画像の注文画面の一例を示す。
【図９】携帯電話端末における画像のインデックス表示の一例を示す。
【図１０】携帯電話端末における店舗情報の表示の一例を示す。
【図１】
2006178639.tif 000003
【図２】
2006178639.tif 000004
【図３】
2006178639.tif 000005
【図４】
2006178639.tif 000006
【図５】
2006178639.tif 000007
【図６】
2006178639.tif 000008
【図７】
2006178639.tif 000009
【図８】
2006178639.tif 000010
【図９】
2006178639.tif 000011
【図１０】
2006178639.tif 000012